(57)【要約】【課題】少ない光源数で所要の照光部を均一に照光可能な照光装置を提供する。【解決手段】発光ダイオード５，６と、当該発光ダイオード５，６の出射光を光入射面以外の側面に分配する細長板状導光板３，４と、複数の貫通孔２１が開設され、細長板状導光板３，４からの入射光を面内方向に伝搬して貫通孔２１から放光させる面状導光板２とからなる照光装置を備えた照光機能付き入力装置において、面状導光板２には、貫通孔２１の非形成部に細長板状導光板設定溝２２，２３を形成し、当該細長板状導光板設定溝２２，２３の側面と細長板状導光板３，４の側面とを対向させて、細長板状導光板設定溝２２，２３内に細長板状導光板３，４を設定する。【選択図】図１
2008072577.tif 000002
【特許請求の範囲】
【請求項１】
点状光源と、略細長板状であって少なくとも１つの側面が光入射面とされ、前記点状光源の出射光を前記光入射面から入射して他の側面に分配する細長板状導光板と、略面状であって少なくとも１つの主面が放光面とされ、前記細長板状導光板からの入射光を面内方向に伝搬して前記放光面から放光させる面状導光板とを備え、前記面状導光板には、細長板状導光板設定溝が形成され、前記細長板状導光板は、前記光入射面以外の側面を前記細長板状導光板設定溝の側面と対向させて前記設定溝内に設定されることを特徴とする照光装置。
【請求項２】
前記面状導光板には複数の貫通孔が開設され、これら複数の貫通孔の前記放光面における開口部から放光されることを特徴とする請求項１に記載の照光装置。
【請求項３】
前記面状導光板の少なくとも１つの主面に凹凸形状を有することを特徴とする請求項１に記載の照光装置。
【請求項４】
前記面状導光板の異なる位置に複数の前記細長板状導光板を設定し、これら複数の細長板状導光板の端部にそれぞれ１乃至複数個の前記点状光源を配置したことを特徴とする請求項１に記載の照光装置。
【請求項５】
前記面状導光板に先端部が複数に分岐された１つの前記細長板状導光板を設定し、当該細長板状導光板の一部に１乃至複数個の前記点状光源を配置したことを特徴とする請求項１に記載の照光装置。
【請求項６】
前記面状導光板の側辺部に、当該面状導光板の内部を伝搬して側辺部に至った光を当該面状導光板の内部に戻す反射面を形成したことを特徴とする請求項１に記載の照光装置。
【請求項７】
前記細長板状導光板の光入射面以外の側面に、緩斜面部と当該緩斜面部よりも急な傾斜角度を有する急斜面部との組合せからなり、前記点状光源の出射光を反射して前記細長板状導光板の長手方向に分配する複数のプリズム溝を形成したことを特徴とする請求項１に記載の照光装置。
【請求項８】
前記細長板状導光板の光入射面とこれに続く側面との間に、前記点状光源の出射光を全反射させて前記細長板状導光板の長手方向に導く反射面を形成したことを特徴とする請求項１に記載の照光装置。
【請求項９】
押釦スイッチの固定接点を含む所要の配線パターンが形成された配線板と、点状光源及び略細長板状であって少なくとも１つの側面が光入射面とされ、前記点状光源の出射光を前記光入射面から入射して他の側面に分配する細長板状導光板並びに略面状であって少なくとも１つの主面が放光面とされ、前記細長板状導光板からの入射光を面内方向に伝搬して前記放光面から放光させる面状導光板からなる照光装置と、前記貫通孔内に１つずつ収納される押釦スイッチの可動接点である複数のメタルドームと、これら複数のメタルドームを個別に押圧操作するための複数のアクチュエータが設けられたカバーシートとを備え、
前記面状導光板には、細長板状導光板設定溝が形成され、前記細長板状導光板は、前記光入射面以外の側面を前記細長板状導光板設定溝の側面と対向させて前記設定溝内に設定されることを特徴とする照光機能付き入力装置。
【発明の詳細な説明】
【技術分野】
【０００１】
本発明は、携帯電話などに備えられるテンキー照光用の照光装置とこれを備えた照光機能付き入力装置とに係り、特に、少ない光源数で所要の照光部を均一に照光する手段に関する。
【背景技術】
【０００２】
従来より、携帯電話などに備えられる照光機能付き入力装置としては、図１２に示すように、押釦スイッチの固定電極１０１ａを含む所要の配線パターンが形成されたプリント基板１０１と、プリント基板１０１の片面に配置された導光板１０２と、導光板１０２の側面に配置された複数個の発光ダイオード１０３と、導光板１０２に開設されたスイッチ窓孔１０４内に収納されたドーム状金属バネからなる押釦スイッチの可動電極１０５と、可動電極１０５と対向する部分に突起１０６が形成されたキーシート１０７と、キーシート１０７の外面の突起１０６と対応する部分に設けられた透光性のキートップ１０８とを備えたものが知られている（例えば、特許文献１参照。）。【０００３】
この照光機能付き入力装置によれば、発光ダイオード１０３から出射された光が導光板１０２によってキートップ１０８の近傍まで導かれ、スイッチ窓孔１０４において放光されるので、キーシート１０７及びキートップ１０８を透過した放光によりキートップ１０８の操作面を光輝させることができる。
【特許文献１】特開２００５−２６８１６５号公報
【発明の開示】
【発明が解決しようとする課題】
【０００４】
しかしながら、前記公知例に係る照光機能付き入力装置は、導光板１０２に可動電極１０５を収納するための多数のスイッチ窓孔１０４が開設されているので、発光ダイオード１０３側から見てスイッチ窓孔１０４の背面側に発光ダイオード１０３の出射光を均一に導くことが難しく、全てのキートップ１０８を均一に光輝させるためには、必然的に複数個（前記公知例では、４個）の発光ダイオードを必要とする。このため、部品点数及び組立工数が多くなって装置の製造コストが高価になる、装置が大形化する、消費電力が大きいなどの解決すべき諸問題を有している。【０００５】
なお、導光板１０２と発光ダイオード１０３とを用いる構成に代えて、ＥＬ（エレクトロルミネッセンス）素子を発光体として用いれば、全てのキートップ１０８を均一に光輝させることができる。しかしながら、ＥＬ素子は、発光ダイオードに比べて高コストで、電磁ノイズを生じやすく、長期使用に対する信頼性が低いなどの短所があり、さらにはＥＬ素子を入力装置用の発光体として用いると、ＥＬ素子の上から接点部を動作させざるを得ないのでキートップ１０８の操作フィーリングが劣化する、ＥＬ素子に繰り返し押圧力が付与されるので長期使用に対する信頼性がさらに低くなるといった問題が発生するため、ＥＬ素子を入力装置用の発光体として用いることは実際上困難である。【０００６】
本発明は、かかる従来技術の不備を解決するためになされたものであり、その目的は、少ない光源数で所要の照光部を均一に照光可能な照光装置を提供すること、及び少ない消費電力で高い表示品質が得られる照光機能付き入力装置を提供することにある。
【課題を解決するための手段】
【０００７】
本発明は、上記の課題を解決するため、照光装置に関しては、第１に、点状光源と、略細長板状であって少なくとも１つの側面が光入射面とされ、前記点状光源の出射光を前記光入射面から入射して他の側面に分配する細長板状導光板と、略面状であって少なくとも１つの主面が放光面とされ、前記細長板状導光板からの入射光を面内方向に伝搬して前記放光面から放光させる面状導光板とを備え、前記面状導光板には、細長板状導光板設定溝が形成され、前記細長板状導光板は、前記光入射面以外の側面を前記細長板状導光板設定溝の側面と対向させて前記設定溝内に設定されるという構成にした。【０００８】
かかる構成によると、細長板状導光板を通じて面状導光板内に点状光源の出射光を面状に入射することができるので、光入射面から見て貫通孔の背面側にも点状光源の出射光を導くことができ、少ない光源数で所要の放光面から放光される光の照度を均一化することができる。また、面状導光板に形成された設定溝内に細長板状導光板を設定するので、面状導光板の側面に細長板状導光板を設置する場合とは異なり、照光装置の小型化を図ることができる。【０００９】
本発明は、照光装置に関して第２に、前記第１の構成において、前記面状導光板には複数の貫通孔が開設され、これら複数の貫通孔の前記放光面における開口部から放光されるという構成にした。【００１０】
かかる構成によると、面状導光板に開設された貫通孔内に接点などの構造体を配置することが可能となり、また貫通孔から放光させることができるので、当該貫通孔の近傍に設定されるキートップなどを照光することができる。【００１１】
本発明は、照光装置に関して第３に、前記第１の構成において、前記面状導光板の少なくとも１つの主面に凹凸形状を有するという構成にした。【００１２】
かかる構成によると、点状光源から面状導光板内に入射された光の光路を、凹凸形状によって変更して、当該主面内における光の出射分布を均一化することができる。【００１３】
本発明は、照光装置に関して第４に、前記第１の構成において、前記面状導光板の異なる位置に複数の前記細長板状導光板を設定し、これら複数の細長板状導光板の端部にそれぞれ１乃至複数個の前記点状光源を配置するという構成にした。【００１４】
かかる構成によると、複数の細長板状導光板を用いるので、面状導光板に対する細長板状導光板の配置を自由に設定することができ、放光面の各部から放光される光の照度を均一化することができる。また、１つの細長板状導光板について１乃至複数の点状光源を用いるので、各部の照度を高めることができる。【００１５】
本発明は、照光装置に関して第５に、前記第１の構成において、前記面状導光板に先端部が複数に分岐された１つの前記細長板状導光板を設定し、当該細長板状導光板の一部に１乃至複数個の前記点状光源を配置するという構成にした。【００１６】
かかる構成によると、先端部が複数に分岐された細長板状導光板を用いるので、１つの細長板状導光板を用いて面状導光板の広い範囲に光を均一に伝搬することができ、複数の細長板状導光板を用いる場合に比べて部品点数の減少による低コスト化を図ることができる。【００１７】
本発明は、照光装置に関して第６に、前記第１乃至第５のいずれかの構成において、前記面状導光板の側辺部に、当該面状導光板の内部を伝搬して側辺部に至った光を当該面状導光板の内部に戻す反射面を形成するという構成にした。【００１８】
かかる構成によると、面状導光板の内部を伝搬して面状導光板の側辺部に至った光を当該側辺部に形成された反射面にて反射して面状導光板の内部に戻すことができるので、点状光源から出射される光の無駄を抑制することができ、各貫通孔を均一かつ高照度に照光することができる。【００１９】
本発明は、照光装置に関して第７に、前記第１乃至第６のいずれかの構成において、前記細長板状導光板の光入射面以外の側面に、緩斜面部と当該緩斜面部よりも急な傾斜角度を有する急斜面部との組合せからなり、前記点状光源の出射光を反射して前記細長板状導光板の長手方向に分配する複数のプリズム溝を形成するという構成にした。【００２０】
細長板状導光板の光入射面以外の側面に複数のプリズム溝を形成すると、点状光源からの出射光が各プリズム溝で反射され、細長板状導光板の長手方向に分配されるので、点状光源からの出射光を線状光源からの出射光と等価の面状の光に変換することができ、面状導光板の面方向への光の伝搬を均一化することができる。なお、細長板状導光板の長手方向に対する光の強度分布は、各プリズム溝の大きさや形成ピッチなどを調整することによって適宜調整できる。【００２１】
本発明は、照光装置に関して第８に、前記第１乃至第７のいずれかの構成において、前記細長板状導光板の光入射面とこれに続く側面との間に、前記点状光源の出射光を全反射させて前記細長板状導光板の長手方向に導く反射面を形成するという構成にした。【００２２】
かかる構成によると、点状光源の設定部近傍からの光漏れを防止することができるので、点状光源から出射される光の無駄を抑制することができ、各貫通孔を均一かつ高照度に照光することができる。【００２３】
また、本発明は、上記の課題を解決するため、照光機能付き入力装置に関しては、押釦スイッチの固定接点を含む所要の配線パターンが形成された配線板と、点状光源及び略細長板状であって少なくとも１つの側面が光入射面とされ、前記点状光源の出射光を前記光入射面から入射して他の側面に分配する細長板状導光板並びに略面状であって少なくとも１つの主面が放光面とされ、前記細長板状導光板からの入射光を面内方向に伝搬して前記放光面から放光させる面状導光板からなる照光装置と、前記貫通孔内に１つずつ収納される押釦スイッチの可動接点である複数のメタルドームと、これら複数のメタルドームを個別に押圧操作するための複数のアクチュエータが設けられたカバーシートとを備え、前記面状導光板には、細長板状導光板設定溝が形成され、前記細長板状導光板は、前記光入射面以外の側面を前記細長板状導光板設定溝の側面と対向させて前記設定溝内に設定されるという構成にした。【００２４】
かかる構成によると、細長板状導光板を通じて面状導光板内に点状光源の出射光を面状に入射できるので、光入射面から見て貫通孔の背面側にも点状光源からの出射光を導くことができる。よって、所要の放光面から放光される光の照度を均一化することができ、照光機能付き入力装置における照光部の照光品質を高めることができる。また、面状導光板に形成された設定溝内に細長板状導光板を設定するので、面状導光板の側面に細長板状導光板を設置する場合とは異なり、照光装置を小型化でき、照光機能付き入力装置の小型化を図ることができる。
【発明の効果】
【００２５】
本発明の照光装置は、面状導光板に細長板状導光板設定溝を形成し、当該細長板状導光板設定溝内に点状光源の出射光を長手方向に分配する細長板状導光板を設定するので、少ない光源数で各貫通孔から放光される光の照度を均一化できると共に、照光装置の小型化を図ることができる。【００２６】
本発明の照光機能付き入力装置は、照光装置として、点状光源と、点状光源の出射光を光入射面以外の側面に分配する細長板状導光板と、細長板状導光板設定溝を有し、細長板状導光板からの入射光を面内方向に伝搬して所要の主面から放光させる面状導光板からなるものを用いるので、少ない光源数で所要の主面から放光される光の照度を均一化することができ、照光部における照光品質の向上及び省電力化を図ることができると共に、照光装置を小型化できるので、照光機能付き入力装置の小型化を図ることができる。
【発明を実施するための最良の形態】
【００２７】
以下、本発明に係る照光装置及びこれを用いた照光機能付き入力装置の実施形態を、図１乃至図１１を用いて説明する。図１は実施形態に係る照光機能付き入力装置の分解斜視図、図２は実施形態に係る照光機能付き入力装置の分解側面図、図３は実施形態に係る照光機能付き入力装置の組立状態の断面図、図４は実施形態に係る面状導光板及び細長板状導光板の平面図、図５はメタルドームが挿入された実施形態に係る面状導光板の要部断面図、図６は実施形態に係る細長板状導光板の構成と機能とを示す平面図、図７〜図１１は他の実施形態に係る照光装置の平面図である。【００２８】
図１乃至図３に示すように、実施形態に係る照光機能付き入力装置は、固定接点１１及び図示しない所要の配線パターンが形成された配線板１と、複数の貫通孔２１及び２条の細長板状導光板設定溝２２，２３が形成された面状導光板２と、細長板状導光板設定溝２２，２３内に設定された２つの細長板状導光板３，４と、各細長板状導光板３，４の一端にそれぞれ配置された２つの発光ダイオード（点状光源）５，６と、固定接点１１を断続する押釦スイッチの可動接点である複数のメタルドーム７と、メタルドーム７を個別に押圧操作するアクチュエータ８が設けられたカバーシート９とから主に構成されている。【００２９】
配線板１は、発光ダイオード５，６の出射光を散乱させて貫通孔２１から放光される光の均一性を高めるため、少なくとも面状導光板５と接する側の面を遮光性白色材料をもって形成することが望ましい。即ち、かかる構成にすると、配線板１による光の吸収を抑制できるので、発光ダイオード５，６から出射される光の無駄を抑制することができ、各貫通孔２１の照度を高めることができる。配線板１としては、全体が遮光性白色材料をもって形成されたものを用いることもできるし、白色遮光性材料以外の材料をもって形成された配線板本体の表面に遮光性白色材料からなるカバー層が被覆されたものを用いることもできる。遮光性白色材料としては、液晶ポリマーやポリイミドなどを基材とする強化プラスチック系やガラスエポキシや低温焼成セラミックなどのリジッド系などを挙げることができる。なお、配線板１は、必要に応じて、導体部が表面にのみ形成される単層構造とすることもできるし、導体部が絶縁層を介して多層に積層される積層構造とすることもできる。【００３０】
面状導光板２は、細長板状導光板３，４からの入射光を面内方向に導くものであり、例えばアクリル樹脂、ポリカーボネート樹脂、環状ポリオレフィン樹脂などの透明度の高い樹脂材料をもって所定の形状に形成される。貫通孔２１は、メタルドーム７を収納するためのものであり、配線板１に形成された固定接点１１と対応する位置に形成される。これに対して、細長板状導光板設定溝２２，２３は、貫通孔２１の非形成部に形成される。【００３１】
本例の面状導光板２は、図４に示すように、発光ダイオード５，６の設定位置から見て手前側の側面２ａ及び奥行き側の側面２ｂが外向きに凸の円弧状に形成されると共に、左右両側面２ｃ，２ｄが平面状に形成されている。また、手前側の２つの角部２ｅ，２ｆが凹状の弧面に形成されると共に、奥行き側の２つの角部２ｇ，２ｈが凸状の弧面に形成されている。これらの各側面は、光の反射面となる。したがって、面状導光板２の外形をこのように構成することにより、細長板状導光板３，４から入射し、面状導光板２の内部を伝搬して面状導光板２の側辺部に至った光を当該側辺部にて反射して面状導光板２の内部に戻すことができるので、発光ダイオード５，６から出射される光の無駄を抑制することができる。なお、面状導光板２の各側面には、反射率を高めるため、アルミニウムや銀などの反射率の高い金属からなる金属膜を形成することもできる。これによって、発光ダイオード５，６から出射される光の無駄をより一層抑制することができる。また、面状導光板２の少なくとも１つの主面には、発光ダイオード５，６から入射した光の光路を他の主面側に向ける凹凸形状が形成される。これにより、所要の主面から放光される光の強度が高められると共に、その均一性が高められる。【００３２】
なお、面状導光板２は、その板厚を大きくするほど導光板全体として出射光量を均一化できるので、０．８ｍｍ以上の板厚とすることが好ましく、１．０ｍｍ以上とすることがより好ましい。また、板厚１．２ｍｍ以上では、１．０ｍｍ〜１．５ｍｍの板厚のものと輝度が大きく変わらないため、入力装置の薄型化の点からも、板厚の上限は１．２ｍｍとするのが良い。【００３３】
貫通孔２１は、図５に示すように、ストレート孔をもって形成されるメタルドーム７の位置決め部２１ａと、傾斜角度が６０°〜７０°のすり鉢状のテーパ孔をもって形成される放光部２１ｂとから形成される。位置決め部２１ａは、メタルドーム７の外径よりもやや大きい直径、例えばメタルドーム７の外径をＤとしたとき、Ｄ＋０．１ｍｍ程度の直径に設定される。これにより、貫通孔２１内におけるメタルドーム７の位置ずれを抑制できるので、メタルドーム７による配線板１に形成された固定接点１１の断続を確実に行うことができ、押釦スイッチの信頼性を高めることができる。放光部２１ｂについて、その傾斜角度を６０°〜７０°としたのは、シミュレーションの結果、貫通孔２１の傾斜角度をこの角度内に設定したときに、貫通孔２１内への放光量を最も多くできることが分かったことによる。【００３４】
細長板状導光板設定溝２２，２３は、その内面に後述する細長板状導光板３，４の側面を密着して挿入可能な大きさ及び形状に形成される。【００３５】
細長板状導光板３，４は、発光ダイオード５，６の出射光を光入射面以外の側面に分配し、面状導光板２内に光を面状に入射するものであり、面状導光板２と同様に、例えばアクリル樹脂、ポリカーボネート樹脂、環状ポリオレフィン樹脂などの透明度の高い樹脂材料をもって所定の形状に形成され、細長板状導光板設定溝２２，２３内に設定される。【００３６】
本例の細長板状導光板３，４は、図６に示すように、平面形状が略長方形に形成されており、一端面が発光ダイオード５，６の出射光を入射する光入射面になっている。この細長板状導光板３，４の長手方向の左右両側面には、緩斜面部３ａと当該緩斜面部３ａよりも急な傾斜角度を有する急斜面部３ｂとの組合せからなる複数のプリズム溝３１が形成されている。プリズム溝３１は、発光ダイオード５，６の出射光を反射して細長板状導光板３，４の長手方向に分配し、反対側の側面より放射するものであり、その大きさや形成ピッチについては、必要に応じて適宜調整することができる。例えば、細長板状導光板３，４の長手方向に分配される光の強度を均一化するためには、光の減衰を考慮し、先端側に至るほどプリズム溝３１の大きさを大きくするか、その形成ピッチを狭くすることが好ましい。勿論、先端側に至るほどプリズム溝３１の大きさを大きく、かつその形成ピッチを狭くすることもできる。【００３７】
また、本例の細長板状導光板３，４は、光入射面と対向する他の端面に、凸レンズ３２が形成されている。凸レンズ３２は、当該凸レンズ３２に入射した光の光路を変更して放射するものであり、その大きさや形成ピッチについては、光を放射したい方向等を考慮して適宜調整される。なお、該部には、凸レンズ３２に代えて前述のプリズム溝３１を形成することもできる。【００３８】
したがって、このように構成された細長板状導光板３，４を面状導光板２内に配置することにより、面状導光板２の所要の方向に発光ダイオード５，６の出射光を面状に入射することができるので、発光ダイオード５，６の設定部から見て貫通孔２１の裏側への光の伝搬が容易になり、各貫通孔２１に至る光の強度を均一化できる。【００３９】
また、本例の細長板状導光板３，４の光入射面側の角部には、図６に示すように、発光ダイオード５，６の出射光を全反射させて細長板状導光板３，４の長手方向に導く反射面３３を形成することが望ましい。このようにすると、発光ダイオード５，６の設定部近傍からの光漏れを防止することができるので、発光ダイオード５，６から出射される光の無駄を抑制することができ、各貫通孔２１を均一かつ高照度に照光することができる。【００４０】
発光ダイオード５，６は、細長板状導光板３，４の一端部に対向して配置される。なお、図示の例では、１つの細長板状導光板３，４についてそれぞれ１つの発光ダイオード５，６のみが配置されているが、発光ダイオード５，６の数量についてはこれに限定されるものではなく、必要に応じて適宜の数量の発光ダイオード５，６が備えられる。発光ダイオード５，６の数が多いほど、照光部の照度を高めることができる。なお、点状光源として個々では発光ダイオードを用いているが、本発明の要旨はこれに限定されるものではなく、拡散光を出射する小型の光源であれば、公知に属する任意の光源を用いることができる。【００４１】
メタルドーム７は、押釦スイッチの可動接点として機能するもので、金属板、例えばステンレス板を円椀状に成形してなる。メタルドーム７の電極接点側（内面側）には、固定接点１１との間の電気的接続を良好なものにするため及び耐摩耗性を改善するため、必要に応じて金めっきや銀めっきを施すこともできる。また、メタルドーム７の外面にも、光の反射率を高めるため、必要に応じて金めっき、銀めっき、アルミニウム蒸着などを施すことができる。また、メタルドーム７の外面は、鏡面にして反射率を高めることもできるし、梨地として拡散効果を持たせることもできる。【００４２】
アクチュエータ８は、メタルドーム７を押圧操作するもので、カバーシート８の片面に所要の配列で設定される。このアクチュエータ８は、遮光性白色材料にて形成することもできるし、透明材料にて形成することもできる。アクチュエータ８を遮光性白色材料にて形成した場合には、アクチュエータ８の周囲部分のみを選択的に照光する照光機能付き入力装置が得られる。一方、アクチュエータ８を透明材料にて形成した場合には、アクチュエータ８の設定部分を含む貫通孔２１内の全面を照光する照光機能付き入力装置が得られる。【００４３】
カバーシート９は、ポリエチレンテレフタレートなどの弾性に優れた樹脂フィルムをもって形成される。このカバーシート９は、半透明の白色材料をもって形成することもできるし、表面に光拡散処理が施された透明材料をもって形成することもできるし、透明材料にて形成することもできる。カバーシート９を半透明の白色材料をもって形成した場合、及び表面に光拡散処理が施された透明材料をもって形成した場合には、カバーシート９の表面で発光ダイオード５から出射された光を散乱させることができるので、カバーシート９に照射される光の均一性を高めることができる。一方、カバーシート９を透明材料をもって形成した場合には、カバーシート９を透過する光量を多くできるので、カバーシート９の輝度を高めることができる。カバーシート９は、その周辺部が面状導光板２の周辺部に接着剤層を介して接着される。【００４４】
以下、本例に係る照光機能付き入力装置の組立方法について説明する。まず、所定の位置に発光ダイオード５，６が実装された配線板１、面状導光板２、細長板状導光板３，４、メタルドーム７、片面に所要の配列でアクチュエータ８が取り付けられたカバーシート９を用意する。しかる後に、配線板１の固定端子形成面に面状導光板２を位置決めして取り付ける。これにより、配線板１に形成された固定端子１１が面状導光板２に開設された貫通孔２１内に配置される。配線板１と面状導光板２の組立方法としては、接着又はスナップ結合等を用いることができる。次いで、面状導光板２に形成された細長板状導光板設定溝２２，２３内に細長板状導光板３，４を設定する。これにより、配線板１に実装された発光ダイオード５，６が、それぞれ自動的に細長板状導光板３，４の光入射面と対向に位置付けられる。面状導光板２に対する細長板状導光板３，４の設定方法は、挿入又は嵌合によることができる。次いで、面状導光板２に開設された貫通孔２１内にメタルドーム７を上を凸にして収納する。最後に、アクチュエータ８の先端部をメタルドーム７の頂部に突き当てるか近接させた状態で、カバーシート９を面状導光板２及び細長板状導光板３，４の表面に接着する。【００４５】
本例の照光機能付き入力装置は、面状導光板２内に細長板状導光板３，４を設定し、細長板状導光板３，４を通じて面状導光板２内に発光ダイオード５，６の出射光を入射するので、図４に示すように、発光ダイオード５，６の設定位置から見て１乃至複数の貫通孔２１の背面側にも発光ダイオード５，６の出射光を導くことができる。よって、少ない発光ダイオード数で各貫通孔２１から放光される光の照度を均一化することができ、照光機能付き入力装置における照光部の照光品質を高めることができる。特に、２つの細長板状導光板３，４を用い、各細長板状導光板３，４ごとに発光ダイオード５，６を配置したので、各貫通孔２１から放光される光の照度が高められると共に、その均一化が高められる。また、本例の照光機能付き入力装置は、面状導光板２に形成された細長板状導光板設定溝２２，２３内に細長板状導光板３，４を設定するので、面状導光板２の側面に細長板状導光板を設置する場合とは異なり、面状導光板２と細長板状導光板３，４と発光ダイオード５，６とからなる照光装置を小型化でき、照光機能付き入力装置の小型化を図ることができる。【００４６】
なお、前記実施形態においては、２つの細長板状導光板３，４を用いたが、図７〜図１１に示すように、先端が分岐された１つの細長板状導光板３０を面状導光板２０内に設定するという構成にすることもできる。かかる構成によると、複数の細長板状導光板を用いる場合に比べて部品点数を減少できるので、照光装置ひいては照光機能付き入力装置の低コスト化を図ることができる。なお、図７〜図１１の例においては、発光ダイオード５０が１つのみ設定されているが、発光ダイオード５０の設定数についてはこれに限定されるものではなく、必要に応じて任意の数の発光ダイオード５０を設定することができる。【００４７】
また、前記実施形態においては、別体に形成されたアクチュエータ８とカバーシート９とを事後的に接合するという構成にしたが、本発明の要旨はこれに限定されるものではなく、例えば射出成形などにより得られるアクチュエータ付きのカバーシートを用いることもできる。
【図面の簡単な説明】
【００４８】
【図１】実施形態に係る照光機能付き入力装置の分解斜視図である。
【図２】実施形態に係る照光機能付き入力装置の分解側面図である。
【図３】実施形態に係る照光機能付き入力装置の組立状態の断面図である。
【図４】実施形態に係る面状導光板及び細長板状導光板の平面図である。
【図５】メタルドームが挿入された実施形態に係る面状導光板の要部断面図である。
【図６】実施形態に係る細長板状導光板の構成と機能とを示す平面図である。
【図７】照光装置の他の例を示す平面図である。
【図８】照光装置のさらに他の例を示す平面図である。
【図９】照光装置のさらに他の例を示す平面図である。
【図１０】照光装置のさらに他の例を示す平面図である。
【図１１】照光装置のさらに他の例を示す平面図である。
【図１２】従来例に係る照光機能付き入力装置の分解側面図である。
【符号の説明】
【００４９】
１    配線板
１１    固定接点
２，２０    面状導光板
２１    貫通孔
２２，２３    細長板状導光板設定溝
３，４，３０    細長板状導光板
５，６，５０    発光ダイオード（点状光源）
７    メタルドーム
８    アクチュエータ
９    カバーシート
【図１】
2008072577.tif 000003
【図２】
2008072577.tif 000004
【図３】
2008072577.tif 000005
【図４】
2008072577.tif 000006
【図５】
2008072577.tif 000007
【図６】
2008072577.tif 000008
【図７】
2008072577.tif 000009
【図８】
2008072577.tif 000010
【図９】
2008072577.tif 000011
【図１０】
2008072577.tif 000012
【図１１】
2008072577.tif 000013
【図１２】
2008072577.tif 000014
【国際調査報告】
2008072577.tif 000015
2008072577.tif 000016